(57)【要約】【課題】マークの位置調整や患部載置台の位置調整が容易な患部固定装置を提供する。【解決手段】患部固定装置（１）は、頭部を載置固定する患部載置台（１１）と、この患部載置台（１１）にスライド可能に設けられ、頭部の左右両側および上方に延在する枠体（１３）と、この枠体（１３）の左右の各支柱（２６）にスライド可能に設けられている左右マーク体（３１）と、この枠体（１３）の上梁（２７）にスライド可能に設けられている上マーク体（３１）とを備えている。【選択図】　図１
2004024723.tif 000002
【特許請求の範囲】
【請求項１】
患部を載置固定する患部載置台と、
この患部載置台にスライド可能に設けられ、患部の左右両側および上方に延在する枠体と、
この枠体の左右の各支柱にスライド可能に設けられている左右マーク体と、
この枠体の上梁にスライド可能に設けられている上マーク体、
とを備える患部固定装置。
【請求項２】
マーク体に、金属のほぼ十文字状のマークが形成されていることを特徴とする、請求項１に記載の患部固定装置。
【請求項３】
十文字状のマークの縦棒の横側に短い補助の縦棒が形成されていることを特徴とする、請求項２に記載の患部固定装置。
【請求項４】
水準器支持部が、患部載置台の先端部に設けられていることを特徴とする、請求項１〜３のいずれかに記載の患部固定装置。
【請求項５】
水準器支持部が、水準器を左右方向および前後方向に支持可能であることを特徴とする、請求項４に記載の患部固定装置。
【発明の詳細な説明】
【０００１】
【発明の属する技術分野】
本発明は頭部への放射線照射などの際に用いる患部固定装置に関する。
【０００２】
【従来技術】
癌の治療や動脈瘤の治療のために、患部である頭部に放射線照射する際には、シェルを用い患部載置台としての頭部載置台に頭部を固定し、マークを付す。そして、ＣＴスキャンにより照射すべき標的の位置を検出する。
【０００３】
従来は、マークは顔面やシェルに取り付けられており、患者の発汗作用によりマークが消失したり、体動によりズレたりする。また、マークの位置調整も困難であった。さらに、放射線照射を適切に行うためには、頭部載置台の位置を調整する必要があるが、頭部載置台の傾きの表示部は、頭部載置台とベッドとの接続部分に設けられており、頭部が妨げとなり、見にくかった。
【０００４】
【発明が解決しようとする課題】
本発明の課題は、従来の問題点を解決し、マークの位置調整や患部載置台の位置調整が容易な患部固定装置を提供することにある。
【０００５】
【課題を解決するための手段】
本発明者は上記課題を解決すべく鋭意研究を重ねた結果、マークの取付機構、および患部載置台の傾きの表示構造により、上記課題を解決することを見出し本発明を完成するに至った。
すなわち、本発明は患部を載置固定する患部載置台と、
この患部載置台にスライド可能に設けられ、患部の左右両側および上方に延在する枠体と、
この枠体の左右の各支柱にスライド可能に設けられている左右マーク体と、
この枠体の上梁にスライド可能に設けられている上マーク体、
とを備える患部固定装置に関する。
また本発明は、マーク体に、金属のほぼ十文字状のマークが形成されていることを特徴とする、前記患部固定装置に関する。
さらに本発明は、十文字状のマークの縦棒の横側に短い補助の縦棒が形成されていることを特徴とする、前記患部固定装置に関する。
またさらに本発明は、水準器支持部が、患部載置台の先端部に設けられていることを特徴とする、前記患部固定装置に関する。
さらにまた、本発明は水準器支持部が、水準器を左右方向および前後方向に支持可能であることを特徴とする、前記患部固定装置に関する。
【０００６】
【発明の実施の形態】
以下に本発明の実施の形態を図面を参照して説明するが、これは本発明をより分かりやすく説明するためのものであって、本発明の範囲を制限するものではない。
図１は、頭部を固定した状態での本発明の一態様の頭部固定装置の斜視図である。図２は、ベッドに取り付けられた状態の頭部固定装置の斜視図である。図３は、シェル挟持棒が開いた状態での頭部固定装置の斜視図である。図４は、連結部材に接続された状態での頭部固定装置の斜視図である。図５は、水準器支持台が分離された状態での頭部固定装置の斜視図である。図６は、水準器支持台が取り付けられた状態での頭部固定装置の斜視図である。図７は、水準器の向きを左右方向に変更した状態での頭部固定装置の斜視図である。図８は、頭部固定装置の説明図で、（ａ）が平面図、（ｂ）が側面図、（ｃ）が正面図である。図９は、マーク体の斜視図である。
【０００７】
患部固定装置としての頭部固定装置１は、連結部材３を介してベッド４の端部に着脱自在に取り付けられる。患者Ｋは体が担架などのベッド４に載り、患部としての頭部が頭部固定装置１に載る。連結部材３は、頭部固定装置１をベッド４に対して揺動可能に連結しており、頭部固定装置１は上下方向の軸、左右方向の軸および前後方向の軸を中心として回動可能である。そして、頭部固定装置１が所定位置に揺動すると、連結部材３は頭部固定装置１を固定位置決めすることができる。なお、この明細書では、ベッド４の長手方向を前後方向としている。
【０００８】
頭部固定装置１は頭部載置台１１、この頭部載置台１１の左右両側に設けられているシェル挟持棒１２、頭部載置台１１に前後方向にスライド可能に設けられている枠体１３、および、頭部載置台１１の先端部に着脱自在に取り付けられる水準器支持台１６とを具備しており、その素材は、ＣＴスキャンや放射線照射の妨げとならないように、極力樹脂で構成されている。そして、患者Ｋの顔面を覆うシェル１７の側端部は、水準器支持台１６の側部とシェル挟持棒１２とで挟持される。シェル１７は高分子ポリマー樹脂などの熱可塑性樹脂で形成され、網目状をしており、湯などに浸けて柔らかくして、各患者Ｋに合わせて型どりする。また、水準器支持台１６の上面には、水準器２１の嵌る凹溝２２が前後方向および左右方向に設けられており、水準器２１を、図３に図示するように左右方向に支持したり、図４に図示するように前後方向に支持したりすることができる。したがって、頭部載置台１１の左右方向の傾斜および前後方向の傾斜を水準器２１で計測することができる。
【０００９】
枠体１３は、ほぼ矩形枠状をしており、左右支柱２６、上梁２７および下梁２８を有している。この枠体１３の下梁２８が頭部載置台１１の下面にスライド可能に取り付けられている。左右の各支柱２６および上梁２７には、各々マーク体３１がスライド可能に設けられ、ビス３０などの位置決め手段により位置決め固定可能である。したがって、左右マーク体３１は上下方向に、また、上マーク体３１は左右方向に移動可能である。
【００１０】
図９に図示するように、マーク体３１には、０．２〜１．０ｍｍの鉛のワイヤなどの金属によりほぼ十文字状のマークが形成されており、このマークは横棒３２、縦棒３３、および、この縦棒３３の横側に配置される補助の縦棒３４を有している。ＣＴスキャンをすると、マーク即ち横棒３２、縦棒３３および補助の縦棒３４が黒くなり、その位置が検出される。
【００１１】
次に、この様に構成されている頭部固定装置１を用いて、ＣＴスキャンおよび放射線照射を実施する方法について説明する。ベッド４に連結部材３を介して頭部固定装置１を取り付ける。そして、患者Ｋは体をベッド４に寝かし、頭部を枠体１３に通した状態で頭部載置台１１に載置する。柔らかくしたシェル１７で患者Ｋの顔面を覆い、そのシェル１７の測端部をシェル挟持棒１２と頭部載置台１１とで挟持し型どりし固定する。この状態でＣＴスキャンを行うと、患者Ｋの照射すべき標的および、マーク体３１のマークの位置が分かり、標的とマークとの相対位置が明らかとなる。この相対位置に基づいて、枠体１３および各マーク体３１をスライドして、上マーク体３１のマークを標的の真上に、右マーク体３１のマークを標的の真右に、また、左マーク体３１のマークを標的の真左に位置調整する。また、頭部載置台１１に水準器支持台１６を取り付け、この水準器支持台１６に設置した水準器２１を見ながら、ＣＴスキャンの１個のスキャン面上に上記３個のマークが位置するように頭部載置台１１を揺動する。そして、再度ＣＴスキャンして、マークが標的の真上および真横に位置していることを確認する。
【００１２】
ついで、頭が頭部載置台１１に固定された患者Ｋを、放射線照射の照射装置に移動する。ところで、放射線照射の照射装置は円弧状に移動し、複数の位置から標的に照射する。そのため、この標的を放射線照射の移動軌跡の円弧の中心に位置調整する。この標的の位置調整は、照射装置からレーザー光線を照射し、各マーク体３１のマークが所定位置となるように、頭部載置台１１の位置を調整する。すなわち、レーザー光線は真上および真横から照射され、この照射位置にマークが来るように、頭部載置台１１の位置を調整する。そして、標的を、日にちをおいて複数の方向から放射線照射する。
【００１３】
なお、シェル１７の取り付け構造は適宜変更可能である。また、マーカーなどの材質は適宜変更可能である。
【００１４】
【発明の効果】
本発明による患部固定装置は、マーク体が、患部載置台にスライド可能に設けられる枠体にスライド可能に設けられている。従って、ＣＴスキャンを行って、患者Ｋの照射すべき標的とマーク体のマークとの相対位置が分かると、各マークを標的の真上および真横に移動することができる。その結果、放射線照射の照射装置からレーザー光線を照射し、このマークが所定位置となるように、患部載置台の位置を調整して、標的を放射線照射の移動軌跡の円弧の中心に位置調整することができる。
【００１５】
そして、マークが十文字状であるので、マークの位置や向きを容易に認識することができる。特に、短い補助の縦棒が設けられていると、マークの位置や向きの認識がさらに容易となる。
【００１６】
また、水準器支持部が患部載置台の先端部に設けられており、患部載置台上の患部に妨げられずに、患部載置台の傾きを知ることができる。
【図面の簡単な説明】
【図１】頭部を固定した状態での本発明の一態様の頭部固定装置の斜視図である。
【図２】ベッドに取り付けられた状態の頭部固定装置の斜視図である。
【図３】シェル挟持棒が開いた状態での頭部固定装置の斜視図である。
【図４】連結部材に接続された状態での頭部固定装置の斜視図である。
【図５】水準器支持台が分離された状態での頭部固定装置の斜視図である。
【図６】水準器支持台が取り付けられた状態での頭部固定装置の斜視図である。
【図７】水準器の向きを左右方向に変更した状態での頭部固定装置の斜視図である。
【図８】頭部固定装置の説明図で、（ａ）が平面図、（ｂ）が側面図、（ｃ）が正面図である。
【図９】マーク体の斜視図である。
【符号の説明】
Ｋ・・・患者
１・・・頭部固定装置
３・・・連結部材
４・・・ベッド
１１・・・頭部載置台
１２・・・シェル挟持棒
１３・・・枠体
１６・・・水準器支持台
１７・・・シェル
２１・・・水準器
２２・・・凹溝
２６・・・左右支柱
２７・・・上梁
２８・・・下梁
３０・・・ビス
３１・・・マーク体
３２・・・横棒
３３・・・縦棒
３４・・・補助の縦棒
【図１】
2004024723.tif 000003
【図２】
2004024723.tif 000004
【図３】
2004024723.tif 000005
【図４】
2004024723.tif 000006
【図５】
2004024723.tif 000007
【図６】
2004024723.tif 000008
【図７】
2004024723.tif 000009
【図８】
2004024723.tif 000010
【図９】
2004024723.tif 000011